(57)【要約】【課題】複数の映像を記録する際に、操作対象の映像の選択操作や選択された映像の記録の開始／停止の操作を容易にできる記録制御技術を実現する。【解決手段】映像記録装置は、複数の映像を取得する取得手段と、前記取得手段により取得した複数の映像を記録する記録手段と、前記記録手段による映像の記録開始及び終了を制御するための第１の操作手段と、前記複数の映像のうちの少なくとも１つの映像に対する特定の機能が割り当てられた第２の操作手段と、前記複数の映像の記録中に、前記第２の操作手段が操作された場合、当該第２の操作手段に対応する映像の記録を停止し、他の映像の記録は継続するように前記記録手段を制御し、前記第２の操作手段への操作が終了した場合、前記記録を停止した映像の記録を再開するように前記記録手段を制御する制御手段と、を有する。【選択図】図３
2015070551.tif 000002
【特許請求の範囲】
【請求項１】
複数の映像を取得する取得手段と、
前記取得手段により取得した複数の映像を記録する記録手段と、
前記記録手段による映像の記録開始及び終了を制御するための第１の操作手段と、
前記複数の映像のうちの少なくとも１つの映像に対する特定の機能が割り当てられた第２の操作手段と、
前記複数の映像の記録中に、前記第２の操作手段が操作された場合、当該第２の操作手段に対応する映像の記録を停止し、他の映像の記録は継続するように前記記録手段を制御し、前記第２の操作手段への操作が終了した場合、前記記録を停止した映像の記録を再開するように前記記録手段を制御する制御手段と、を有することを特徴とする映像記録装置。
【請求項２】
前記制御手段は、前記第１の操作手段による操作に応じて、前記複数の映像の記録を同時に開始し、同時に終了するように前記記録手段を制御することを特徴とする請求項１に記載の映像記録装置。
【請求項３】
前記第２の操作手段に前記特定の機能を割り当てる機能割り当て手段を更に備え、
前記特定の機能は、前記第２の操作手段に対応する映像の記録の停止及び再開を行う機能であることを特徴とする請求項１または２に記載の映像記録装置。
【請求項４】
前記第１及び第２の操作手段は押しボタンであり、
前記制御手段は、前記押しボタンが押下されている間は前記映像の記録を一時的に停止し、前記押しボタンが押下されなくなると、前記映像の記録を再開するように前記記録手段を制御することを特徴とする請求項１ないし３のいずれか１項に記載の映像記録装置。
【請求項５】
前記第１及び第２の操作手段はタッチパネルからなる操作ボタンであり、
前記制御手段は、前記操作ボタンへのタッチダウンが検出されている間は前記映像の記録を一時的に停止し、前記操作ボタンからのタッチアップが検出されると、前記映像の記録を再開するように前記記録手段を制御することを特徴とする請求項１ないし３のいずれか１項に記載の映像記録装置。
【請求項６】
撮影者から見える映像を撮像する第１の撮像手段と、
撮影者側の映像を撮像する第２の撮像手段と、を更に有し、
前記取得手段は、前記第１及び第２の撮像手段により撮像される複数の映像を取得することを特徴とする請求項１ないし５のいずれか１項に記載の映像記録装置。
【請求項７】
前記取得手段により取得した複数の映像を表示部に表示させる表示制御手段をさらに有し、
前記第２の操作手段は、前記表示部へのタッチを検出可能なタッチパネルであり、
前記制御手段は、前記複数の映像の記録中に、前記表示部がタッチされた場合、タッチされた位置に表示されている映像の記録を停止し、他の映像の記録は継続するように前記記録手段を制御し、前記タッチが離された場合に、前記記録を停止した映像の記録を再開するように前記記録手段を制御することを特徴とする請求項１、２、６のいずれか１項に記載の映像記録装置。
【請求項８】
前記複数の映像に対応する位置が同時にタッチされた場合、前記制御手段は、予め決められた優先順序に基づいて、記録を停止する映像を決定することを特徴とする請求項７に記載の映像記録装置。
【請求項９】
複数の映像に対応する位置が同時にタッチされた場合、前記制御手段は、タッチされた位置に対応する映像の記録を停止しないことを特徴とする請求項７に記載の映像記録装置。
【請求項１０】
前記第１の操作手段は押しボタンであることを特徴とする請求項７ないし９のいずれか１項に記載の映像記録装置。
【請求項１１】
前記映像記録装置は撮像装置であり、前記第１の操作手段はシャッターボタンであることを特徴とする請求項１０に記載の映像記録装置。
【請求項１２】
複数の映像を取得する取得手段と、前記取得手段により取得した複数の映像を記録する記録手段と、前記記録手段による映像の記録開始及び終了を制御するための第１の操作手段と、前記複数の映像のうちの少なくとも１つの映像に対する特定の機能が割り当てられた第２の操作手段と、を有する映像記録装置の制御方法であって、
前記複数の映像の記録中に、前記第２の操作手段が操作された場合、当該第２の操作手段に対応する映像の記録を停止し、他の映像の記録は継続するように前記記録手段を制御し、前記第２の操作手段への操作が終了した場合、前記記録を停止した映像の記録を再開するように前記記録手段を制御する制御工程を有することを特徴とする制御方法。
【請求項１３】
コンピュータを、請求項１ないし１１のいずれか１項に記載された映像記録装置の各手段として機能させるプログラム。
【請求項１４】
コンピュータを、請求項１ないし１１のいずれか１項に記載された映像記録装置の各手段として機能させるプログラムを格納した記憶媒体。
【発明の詳細な説明】
【技術分野】
【０００１】
本発明は、映像の記録制御技術に関する。
【背景技術】
【０００２】
テレビ放送等の映像を受信し、表示し、記録する機能を有する機器としてブルーレイレコーダやハードディスクレコーダがある。最近では、ワンセグチューナを介して携帯電話等でもテレビ放送を受信したり、録画することが可能である。また、動画共有サイトにアップロードされた動画等は、電話回線等を介してパーソナルコンピュータや携帯電話により閲覧や記録が可能である。
【０００３】
例えば、特許文献１には、複数のテレビ放送の映像が同時に録画されている際に、複数の映像のうちの録画を停止したい１つの映像を選択可能に表示する録画装置が記載されている。また、特許文献２には、自身で撮影した撮像信号と、無線接続した他の撮像装置で撮影した映像信号のいずれかを選択して記録できる撮像装置が記載されている。
【先行技術文献】
【特許文献】
【０００４】
【特許文献１】特許第４７８８８２０号
【特許文献２】特許第４２９２８９１号
【発明の概要】
【発明が解決しようとする課題】
【０００５】
従来は、テレビ放送等の複数の映像の記録開始や記録停止を行う場合、ユーザは複数の映像を視聴しながらボタン等を操作するため、どの映像が操作対象となっているのか、或いは次の操作は記録開始なのか記録停止なのかわからなくなってしまう場合がある。
【０００６】
また、上記特許文献１や特許文献２においても、複数の映像の記録開始や記録停止を特定のスイッチで行っているため、操作対象の映像の選択操作や選択された映像の記録の開始／停止の操作を容易に行えないと考えられる。
【０００７】
本発明は、上記課題に鑑みてなされ、その目的は、複数の映像を記録する際に、操作対象の映像の選択操作や選択された映像の記録の開始／停止の操作を容易にできる記録制御技術を実現することである。
【課題を解決するための手段】
【０００８】
上記課題を解決し、目的を達成するために、本発明の映像記録装置は、複数の映像を取得する取得手段と、前記取得手段により取得した複数の映像を記録する記録手段と、前記記録手段による映像の記録開始及び終了を制御するための第１の操作手段と、前記複数の映像のうちの少なくとも１つの映像に対する特定の機能が割り当てられた第２の操作手段と、前記複数の映像の記録中に、前記第２の操作手段が操作された場合、当該第２の操作手段に対応する映像の記録を停止し、他の映像の記録は継続するように前記記録手段を制御し、前記第２の操作手段への操作が終了した場合、前記記録を停止した映像の記録を再開するように前記記録手段を制御する制御手段と、を有する。
【発明の効果】
【０００９】
本発明によれば、複数の映像を記録する際に、操作対象の映像の選択操作や選択された映像の記録開始／停止の操作を容易にできるようになる。
【図面の簡単な説明】
【００１０】
【図１】本発明に係る実施形態の映像記録装置の外観図。
【図２】本実施形態の装置構成を示すブロック図。
【図３】本実施形態による録画処理を示すフローチャート。
【図４】本実施形態により録画される映像フレームを例示する図。
【図５】本発明に係る実施形態２の映像記録装置の外観図。
【図６】実施形態２の装置構成を示すブロック図。
【図７】実施形態２による画像記録処理を示すフローチャート。
【図８】図７の機能割り当て処理の詳細を示すフローチャート。
【図９】実施形態２により２つの映像が表示された画面を例示する図。
【図１０】実施形態２の映像記録装置により撮影されるシーンを例示する図。
【図１１】実施形態２の映像記録装置の操作方法を例示する図。
【発明を実施するための形態】
【００１１】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１２】
［実施形態１］以下、本発明の映像記録装置を、例えば、テレビ番組などの映像を受信、表示、録画可能なポータブルテレビに適用した実施形態について説明する。
【００１３】
＜装置構成＞図１及び図２を参照して、本発明に係る実施形態の映像記録装置の構成及び機能の概略について説明する。
【００１４】
図１において、ポータブルテレビ１００は、テレビ放送を受信し、受信したテレビ番組を表示する機能や録画する機能を備えている。
【００１５】
ポータブルテレビ１００は、その背面に押しボタン式の操作部１０１〜１０５と表示部１０６が設けられている。操作部はユーザによる操作が可能な電源スイッチ１０１、十字ボタン１０２、ＳＥＴボタン１０３、１０４、録画ボタン１０５を有し、表示部１０６はユーザによるタッチ操作が検出可能なタッチパネルを備えている。ポータブルテレビ１００は、表示部１０６の画面に１つの映像、もしくは２つの映像１０７、１０８が左右に配置して表示可能である。
【００１６】
電源スイッチ１０１は、ユーザがポータブルテレビ１００の電源のオン／オフ操作を行うための操作部材である。十字ボタン１０２は、ユーザがポータブルテレビ１００の画面設定、画質設定、またチャンネル選択などの操作を行う操作部材であり、ユーザはＳＥＴボタン１０３、１０４のいずれかを操作することにより、設定や選択の決定やキャンセルを行うことができる。ＳＥＴボタン１０３、１０４のいずれを決定或いはキャンセルに割り当てても良く、ボタンの機能割り当てはユーザにより設定可能である。
【００１７】
また、表示部１０６に表示されている映像を録画中に、ＳＥＴボタン１０３、１０４のいずれかを押し続けることで、録画を一時停止することが可能である。録画ボタン１０５は、ユーザが表示部１０６に表示されている映像の録画開始及び録画終了を行う操作部材である。
【００１８】
表示部１０６は映像を表示するための液晶パネルであり、表示部１０６の画面に１つの映像を表示する１画面表示モードと、２つの映像１０７、１０８を左右に配置して表示する２画面表示モードのいずれかが選択可能である。これらの表示モードの設定は、ユーザが十字ボタン１０２を操作することにより選択可能である。また、ＳＥＴボタン１０３、１０４の近傍に、映像１０７、１０８が配置される。
【００１９】
次に、図２を参照して、ポータブルテレビ１００の内部構成について説明する。
【００２０】
図２において、システム制御部２０１は、ＣＰＵがＲＯＭ等の不揮発性メモリ２０５に格納されたプログラムをＲＡＭ等のメモリ２０３の作業エリアに展開し、実行することにより、ポータブルテレビ１００の全体の動作を制御する。
【００２１】
第１及び第２の映像取得部２２０、２３０は、システム制御部２０１の制御により表示部１０６に表示するための映像を取得する。第１及び第２の映像取得部２２０、２３０は、例えば、テレビ放送を受信するためのアンテナ、受信回路、映像信号や音声信号をデコード／エンコードする信号処理回路等を備える。
【００２２】
映像処理部２２５は、システム制御部２０１の制御により、第１及び第２の映像取得部２２０、２３０から出力される映像信号を圧縮、伸張したり、表示部１０６に最適に表示するように映像信号を加工する。また、映像処理部２２５は第１及び第２の映像取得部２２０、２３０の映像信号の加工を行うと同時に、第１及び第２の映像取得部２２０、２３０から出力される映像信号を、メモリ２０３又は記録媒体接続部２０４を介して記録媒体に記録することができる。
【００２３】
メモリ２０３は、所定枚数の静止画や所定時間の動画および音声を格納するのに十分な記憶容量を備えている。また、メモリ２０３は、システム制御部２０１や映像処理部２２５の作業エリアとしても使用される。
【００２４】
記録媒体接続部２０４は、メモリカード等の各種の記録媒体を接続するためのインターフェースであり、システム制御部２０１により記録媒体からのデータの読み出しや書き込みが可能である。記録媒体は、録画された映像を記録するための半導体メモリや磁気ディスク等から構成される。なお、記録媒体から読み出したデータをメモリ２０３に記憶することも可能であり、反対にメモリ２０３から読み出したデータを記録媒体に記憶することも可能である。
【００２５】
不揮発性メモリ２０５は、電気的に消去・記録可能な、例えばＥＥＰＲＯＭなどである。不揮発性メモリ２０５には、システム制御部２０１の動作用の定数、変数、プログラム等が記憶される。ここでいう、プログラムとは、後述する各種フローチャートを実行するためのプログラムのことである。
【００２６】
操作部２０６は、ユーザがポータブルテレビ１００の各種の操作を行うための操作部材からなり、図１に示した電源スイッチ１０１、十字ボタン１０２、ＳＥＴボタン１０３、１０４、録画ボタン１０５を含む。
【００２７】
操作検出部２０７は、ユーザによる操作部２０６の操作位置を検出し、各操作部材のオン／オフ等の状態をシステム制御部２０１に通知する。また、表示部１０６に２つの映像１０７、１０８を表示する場合、それぞれの映像１０７、１０８とＳＥＴボタン１０３、１０４が対応している。例えば、図２の映像１０７とＳＥＴボタン１０３、映像１０８とＳＥＴボタン１０４が対応している場合、録画中にＳＥＴボタン１０３（１０４）が押下されている間は、対応する映像１０７（１０８）の録画を停止することが可能である。
【００２８】
表示部１０６は、タッチパネル２０８と、液晶パネルと液晶パネル背面より光を照射するバックライト（不図示）で構成される。表示部１０６の液晶パネル及びバックライトの駆動は表示制御部２０９により制御される。また、表示制御部２０９は、システム制御部２０１の制御により、映像処理部２２５から入力される映像信号を表示信号に変換して表示部１０６に出力する。
【００２９】
タッチ検出部３１０は、タッチパネル２０８への以下の操作を検出できる。タッチパネル２０８を指やペンで触れたこと（以下、タッチダウンと称する）。タッチパネル２０８を指やペンで触れている状態であること（以下、タッチオンと称する）。タッチパネル２０８を指やペンで触れたまま移動していること（以下、ムーブと称する）。タッチパネル２０８へ触れていた指やペンを離したこと（以下、タッチアップと称する）。タッチパネル２０８に何も触れていない状態（以下、タッチオフと称する）。これらの操作や、タッチパネル２０８上に指やペンが触れている位置座標は内部バス２０２を通じてシステム制御部２０１に通知され、システム制御部２０１は通知された情報に基づいてタッチパネル２０８上にどのような操作が行なわれたかを判定する。ムーブについてはタッチパネル２０８上で移動する指やペンの移動方向についても、位置座標の変化に基づいて、タッチパネル２０８上の垂直成分・水平成分毎に判定できる。またタッチパネル２０８上をタッチダウンから一定のムーブを経てタッチアップをしたとき、ストロークを描いたこととする。素早くストロークを描く操作をフリックと呼ぶ。フリックは、タッチパネル２０８上に指を触れたままある程度の距離だけ素早く動かして、そのまま離すといった操作であり、言い換えればタッチパネル２０８上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネル２０８は、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００３０】
＜録画動作＞次に、図３を参照して、実施形態１の映像記録装置による録画処理について説明する。なお、図３の処理は、不揮発性メモリ２０５に記録されたプログラムを、メモリ２０３に読み出してシステム制御部２０１が実行することにより実現する。
【００３１】
図３において、ステップＳ３０１では、システム制御部２０１は、ユーザ操作により２画面表示モードが選択されたか判定する。そして、２画面表示モードに設定された場合はＳ３０２に進み、１画面表示モードに設定された場合は１つの映像を表示するモードに移行し、通常のポータブルテレビの動作を行う。
【００３２】
ステップＳ３０２では、システム制御部２０１は、表示部１０６の画面に映像処理部２２５から出力された２つの映像が表示されている状態で、録画ボタン１０５が押下されるのを待ち、録画ボタン１０５が押下された場合はＳ３０３に進む。
【００３３】
Ｓ３０３及びＳ３０４では、システム制御部２０１は録画ファイルを２つ生成し、表示部１０６に表示されている第１及び第２の映像をそれぞれの録画ファイルに記録する録画を開始する。
【００３４】
Ｓ３０５では、システム制御部２０１は、Ｓ３０４で録画を開始した後、ＳＥＴボタン１０３、１０４のいずれかが押下されたか判定し、押下を検出した場合はＳ３０６に進み、押下が検出されない場合はＳ３１０に進む。
【００３５】
Ｓ３０６では、システム制御部２０１は、押下されたＳＥＴボタン１０３又は１０４に対応する映像の録画を停止し、ここでＳＥＴボタン１０３又は１０４を押し続けることで、録画を一時停止することが可能である。
【００３６】
次に、システム制御部２０１は、ＳＥＴボタン１０３又は１０４の押下が終了したことを検出すると（Ｓ３０７）、Ｓ３０８に進み、映像の録画を再開する。
【００３７】
一方、システム制御部２０１は、Ｓ３０７にてＳＥＴボタン１０３又は１０４の押下が終了したことを検出しないまま録画ボタン１０５が押下されたことを検出すると（Ｓ３０９）、Ｓ３１１に進む。
【００３８】
Ｓ３１１〜Ｓ３１３では、システム制御部２０１は、２つの映像の録画を停止し、それぞれの録画ファイルをクローズし（Ｓ３１１）、録画を終了し（Ｓ３１２）、ユーザ操作により動作終了が選択されると（Ｓ３１３）、本処理を終了する。また、Ｓ３１３でユーザが動作終了を選択しない場合は、Ｓ３０２に戻り、映像を表示している状態に戻る。
【００３９】
なお、システム制御部２０１は、Ｓ３０５にてＳＥＴボタン１０３又は１０４の押下が検出されないまま録画ボタン１０５が押下されたことを検出すると（Ｓ３１０）、Ｓ３１１以降の処理を実行する。
【００４０】
上述したように、ユーザは２画面表示モードにおいて２つの映像を録画中にＳＥＴボタンを押し続けることで録画を一時的に停止することができる。図４は映像の録画中にＳＥＴボタンが押下された場合に表示される映像信号のフレームと録画ファイルの関係を示している。図４において、表示される全ての映像信号のフレームを１〜７として、録画中に第３、４フレームにてＳＥＴボタンが押下されたことにより録画が一時停止となった場合、第３、４フレームの録画は停止される。その結果、第１、２、５、６、７フレームが一連の動画ファイルとして録画される。
【００４１】
ここで、映像の録画中にＳＥＴボタンが同時に押下された場合は、例えばＳＥＴボタン１０３を優先するなど、予め決められた優先順序に基づいて、どちらかを優先してＳＥＴボタンの押下を受け付け、それに対応する映像の録画停止を行っても良い。また、ＳＥＴボタンが同時に押下された場合に、どちらのＳＥＴボタンの押下も受け付けず、録画停止を行わないように構成しても良い。さらに、例えばＳＥＴボタン１０３が押下され、映像１０７の録画が停止されている間に、もう一方のＳＥＴボタン１０４が押下された場合は、（１）ＳＥＴボタン１０４の押下は受け付けず、映像１０７の録画停止を継続する、（２）映像１０７の録画停止を解除して、映像１０７、１０８の録画を再開する、（３）映像１０７の録画停止を解除して、新たに映像１０８の録画を開始する、という動作を行っても良い。
【００４２】
また、図４では、ＳＥＴボタン１０３、１０４の押下で録画停止の指示を行っているが、タッチパネル２０８で録画停止の指示を行っても良い。すなわち、映像１０７、１０８のそれぞれの表示領域へのタッチダウンをタッチ検出部３１０が検出し、システム制御部２０１がタッチ検出された映像の録画停止、録画再開を制御しても良い。この場合、図４のＳ３０５にてタッチダウン検出を行い、Ｓ３０６にてタッチダウンされた領域に表示されている映像の録画停止を行えば良い。またＳ３０７にてタッチアップ検出を行い、Ｓ３０８にてタッチアップされた領域に表示されている映像の録画再開を行うことで実現可能である。
【００４３】
［実施形態２］次に、本発明の映像記録装置を、例えば、静止画や動画を撮影可能なデジタルカメラ等の撮像装置に適用した実施形態について説明する。
【００４４】
＜装置構成＞図５及び図６を参照して、本発明に係る実施形態の映像記録装置の構成及び機能の概略について説明する。
【００４５】
図５において、デジタルカメラ５００は、静止画や動画を撮影し、記録する機能を備えている。
【００４６】
デジタルカメラ５００は、その背面に操作部５０１〜５０９と表示部５１０が設けられている。
【００４７】
操作部はユーザによる操作が可能な電源スイッチ５０１、シャッターボタン５０２、ズームレバー５０３、モード切替スイッチ５０４、十字ボタン５０５、ファンクション／セットボタン５０６、ディプレイボタン５０７、メニューボタン５０８、ショートカットボタン５０９を有する。また、表示部５１０はユーザが操作可能なタッチパネルを備えている。
【００４８】
また、デジタルカメラ５００は、第１の撮像部５２０と第２の撮像部（図６参照）５３０を備える。第１の撮像部５２０及び第２の撮像部５３０はそれぞれ、第１の撮像レンズ５２１及び第２の撮像レンズ５３１を介して異なる被写体を撮影可能にカメラ本体内に搭載されている。例えば、本実施形態においては、第１の撮像部５２０を被写体側、第２の撮像部５３０を撮影者側に向けるなど、別々の被写体を同時に撮影できるような構成となっている。即ち、２つの撮像部は撮像方向がそれぞれ逆向きの関係になっており、第１の撮像部５２０によって撮像される被写体と第２の撮像部５３０によって撮像される撮影者はデジタルカメラ５００を挟んで対向する。
【００４９】
また、デジタルカメラ５００は、表示部５１０の画面に１つの画像、もしくは２つの画像を左右に配置して表示可能である。
【００５０】
電源スイッチ５０１は、ユーザがデジタルカメラ５００の電源のオン／オフ操作を行うための操作部材である。シャッターボタン５０２は、半押し（撮影準備指示）でＯＮとなり第１シャッタースイッチ信号ＳＷ１を発生する。第１シャッタースイッチ信号ＳＷ１により、第１及び第２の撮像部５２０、５３０のＡＦ（オートフォーカス）処理、ＡＥ（自動露出）処理、ＡＷＢ（オートホワイトバランス）処理、ＥＦ（フラッシュプリ発光）処理等の動作を開始する。また、シャッターボタン５０２は、全押し（撮影指示）でＯＮとなり、第２シャッタースイッチ信号ＳＷ２を発生する。第２シャッタースイッチ信号ＳＷ２により、第１及び第２の撮像部５２０、５３０からの撮像信号の読み出しから記録媒体に画像データを書き込むまでの一連の撮影処理の動作を開始する。
【００５１】
ズームレバー５０３は、左右に可動な操作部材であり、一方の方向に動かすと望遠側、他方の方向に動かすと広角側に第１の撮像部５２０の第１の撮像レンズ５２１及び第２の撮像部５３０の第２の撮像レンズ５３１を駆動できる。また、ズームレバー５０３はユーザ操作により駆動対象の撮像レンズを割り当てることが可能である。例えば、ズームレバー５０３の操作に対応させて、第１の撮像レンズ５２１のみを駆動／第２の撮像レンズ５３１のみを駆動／第１及び第２の撮像レンズ５２１、５３１を同時駆動、等の機能を割り当てることが可能である。例えば、第１及び第２の撮像レンズ５２１、５３１を同時駆動する場合は、倍率の小さい方が先に望遠側に到達するように駆動したり、各撮像レンズ５２１、５３１がそれぞれの広角、望遠を両端とする位置にて同じ比率となるように駆動するようにしても良い。また、十字ボタン５０５の左、右などのボタンをズームボタンとして割り当てても良い。
【００５２】
なお、第１及び第２の撮像レンズ５２１、５３１は単焦点レンズでも構わない。両方とも単焦点レンズの場合、ズームレバー５０３は省略可能である。また、いずれかが単焦点レンズの場合、ズームレバー５０３は駆動対象の撮像レンズのズーム設定が可能である。また、第２の撮像部５３０は撮影者側に向いておらず、第１の撮像レンズ５２１と同じ方向に向いていても構わない。この場合は、いわゆる二眼カメラや、３Ｄ撮影カメラの形式になることが考えられる。また、その他の方向を向いていても構わない。
【００５３】
モード切替スイッチ５０４は、デジタルカメラ５００の撮影モード／再生モードを切り替える操作部材である。表示部５１０は、モード切替スイッチ５０４の状態により、映像（スルー画像）を表示する電子ビューファインダとして使用できる。また、表示部５１０には、記録前の撮影画像（プレビュー画像）やカメラ本体に装着されたメモリカード等から読み出した画像が表示される。さらに、表示部５１０には、撮影モード／再生モードに応じて、デジタルカメラ５００の設定情報であるディスプレイ情報、すなわち、撮影画像に関する各種の設定情報や、撮影時に関する各種の設定等を表示することができる。
【００５４】
表示部５１０には、十字ボタン５０５、ファンクション／セットボタン５０６、メニューボタン５０８の操作に応じてデジタルカメラ５００の動作モードやホワイトバランス、画像サイズ等の設定を行う際の各種のメニュー画面が表示される。
【００５５】
十字ボタン５０５は、上下左右キーからなるマルチファンクションボタンであり、ファンクション／セットボタン５０６は、撮影モードの詳細設定や、撮影モードや再生モードにおける各種設定を決定するための操作部材である。メニューボタン５０８はカメラ本体の各種設定を行うための操作部材である。
【００５６】
また、ディスプレイボタン５０７は、撮影モードや再生モードにおける付帯情報の表示を切り替えたり、表示／非表示を切り替えたりする操作部材であり、ショートカットボタン５０９は、ユーザによって設定可能な特定の機能が割り当てられる操作部材である。
【００５７】
これら十字ボタン５０５、ファンクション／セットボタン５０６、ディプレイボタン５０７、メニューボタン５０８、ショートカットボタン５０９は、後述するように撮影画像の記録中に押下することで記録を一時的に停止することができる。
【００５８】
次に、図６を参照して、デジタルカメラ５００の内部構成について説明する。
【００５９】
図６において、システム制御部６０１は、ＣＰＵがＲＯＭ等の不揮発性メモリ６０５に格納されたプログラムをＲＡＭ等のメモリ６０３の作業エリアに展開し、実行することにより、デジタルカメラ５００の全体の動作を制御する。
【００６０】
第１及び第２の撮像部５２０、５３０は、第１及び第２の撮像レンズ５２１、５３１と、絞り機能を備えるシャッタと、露光制御部と、光学像を電気信号に変換する撮像素子と、撮像素子のアナログ信号出力をデジタル信号に変換するＡ／Ｄ変換器とを備える。
【００６１】
システム制御部６０１は第１及び第２の撮像レンズ５２１、５３１のフォーカシングやズーミング、絞り機能を備えるシャッタ、露光制御部を制御し、デジタル信号に変換された撮像信号を画像処理部６２５に出力する。
【００６２】
画像処理部６２５は、システム制御部６０１の制御に従い、第１及び第２の撮像部５２０、５３０から出力される撮像信号を圧縮、伸張したり、表示部５１０に最適に表示するように撮像信号を加工する。また、画像処理部６２５は第１及び第２の撮像部５２０、５３０の撮像信号の加工を行うと同時に、第１及び第２の撮像部５２０、５３０それぞれから出力される撮像信号を、メモリ６０３又は記録媒体接続部６０４を介して記録媒体に記録することができる。
【００６３】
メモリ６０３は、所定枚数の静止画や所定時間の動画および音声を格納するのに十分な記憶容量を備えている。また、メモリ６０３は、システム制御部６０１や画像処理部６２５の作業エリアとしても使用される。
【００６４】
記録媒体接続部６０４は、メモリカード等の各種の記録媒体を接続するためのインターフェースであり、システム制御部６０１により記録媒体からのデータの読み出しや書き込みが可能である。記録媒体は、録画された映像を記録するための半導体メモリや磁気ディスク等から構成される。なお、記録媒体から読み出したデータをメモリ６０３に記憶することも可能であり、反対にメモリ６０３から読み出したデータを記録媒体に記憶することも可能である。
【００６５】
不揮発性メモリ６０５は、電気的に消去・記録可能な、例えばＥＥＰＲＯＭなどである。不揮発性メモリ６０５には、システム制御部６０１の動作用の定数、変数、プログラム等が記憶される。ここでいう、プログラムとは、後述する各種フローチャートを実行するためのプログラムのことである。
【００６６】
操作部６０６は、ユーザがデジタルカメラの各種の操作を行うための操作部材であり、図５に示す電源スイッチ５０１、シャッターボタン５０２、ズームレバー５０３、モード切替スイッチ５０４、十字ボタン５０５、ファンクション／セットボタン５０６、ディプレイボタン５０７、メニューボタン５０８、ショートカットボタン５０９を有する。
【００６７】
操作検出部６０７は、ユーザによる操作部６０６の操作位置を検出し、各操作部材のオン／オフ等の状態をシステム制御部６０１に通知する。
【００６８】
表示部５１０は、タッチパネル６０８と、液晶パネルと液晶パネル背面より光を照射するバックライト（不図示）で構成される。表示部５１０の液晶パネル及びバックライトの駆動は表示制御部６０９により制御される。また、表示制御部６０９は、システム制御部６０１の制御に従い、画像処理部６２５から入力される画像信号を表示信号に変換して表示部５１０に出力する。
【００６９】
タッチ検出部６１０は、実施形態１と同様に、タッチパネル６０８へのタッチダウン、タッチオン、ムーブ、タッチアップ、タッチオフ等の操作を検出できる。これらの操作や、タッチパネル６０８上に指やペンが触れている位置座標は内部バス６０２を通じてシステム制御部６０１に通知され、システム制御部６０１は通知された情報に基づいてタッチパネル６０８上にどのような操作が行なわれたかを判定する。
【００７０】
ここで、デジタルカメラ５００の撮影モードにおける基本動作について説明する。
【００７１】
操作検出部６０７により電源スイッチ５０１がオンされたことが検出されると、システム制御部６０１は、デジタルカメラ５００を起動させて撮影待機状態にする。この撮影待機状態では、通常、表示部５１０には、スルー画像が表示される。すなわち、第１の撮像部５２０、第２の撮像部５３０により被写体が連続的に撮像され、得られた撮像信号が画像処理部６２５で連続的に処理されて画像信号が生成される。画像処理部６２５で生成された画像信号は、ディスプレイ情報と重畳するように合成され、表示部５１０に出力される。デジタルカメラ５００のユーザ（撮影者）は、表示部５１０に表示されるスルー画像や表示情報を見ながら、記録指示や各種設定を行うことができる。
【００７２】
＜画像記録処理＞次に、図７を参照して、実施形態２の映像記録装置による画像記録処理について説明する。なお、図７の処理は、不揮発性メモリ６０５に記録されたプログラムを、メモリ６０３に読み出してシステム制御部６０１が実行することにより実現する。
【００７３】
図７において、Ｓ７０１では、システム制御部６０１は、ユーザ操作や初期設定に応じて第１の撮像部５２０と第２の撮像部５３０のそれぞれのスルー画像の表示サイズや表示部５１０の表示位置の設定を行う。デジタルカメラ５００の撮影者は、例えば図９に示す構図で撮影を行った場合、撮影者以外の被写体のスルー画像と、撮影者のスルー画像を図１０（ａ）の画像１００１と画像１００２のように同じ大きさで表示する、或いは、図１０（ｂ）の画像１００４のように撮影者を右下に小さく表示する、というな設定が可能である。
【００７４】
次に、Ｓ７０２では、システム制御部６０１は、操作部に対して表示中のスルー画像の記録開始、記録停止を行う機能を割り当てる処理を行う。
【００７５】
図８は図７のＳ７０２での機能割り当て処理の詳細を示すフローチャートである。
【００７６】
図８において、システム制御部６０１は、Ｓ７０１にて設定された表示位置に対して、予め決められた機能割り当て候補を表示する（Ｓ８０１）。機能割り当て候補の一例としては、ユーザが直感的にわかりやすいようなボタンの配置を考慮する。例えば、図１０（ａ）のように２つのスルー画像が同じ大きさに左右並べて表示される場合であれば、十字ボタン５０５の左、右とする。また図１０（ｂ）のようにスルー画像の一方が右下に小さく表示される場合であれば、十字ボタン５０５の上、下、または、左、右とする。十字ボタン５０５だけでなく、ファンクション／セットボタン５０６、ディスプレイボタン５０７、メニューボタン５０８、ショートカットボタン５０９に設定しても良い。システム制御６０１は、不揮発性メモリ６０５に記憶されている操作部と機能割り当て候補を読み出し、表示部５１０に一覧表示する。ユーザは表示されている機能割り当て候補で良い場合はファンクション／セットボタン５０６を操作して設定を確定し、システム制御部６０１は決定された機能割り当て候補を不揮発性メモリ６０５に記憶する（Ｓ８０３）。また、ユーザが別の割り当てを希望する場合は、システム制御部６０１はファンクション／セットボタン５０６の操作に応じて、別の機能割り当て候補を表示する（Ｓ８０４）。このようにして操作者が希望する割り当てが見つかるまで繰り返す。
【００７７】
図７に戻り、上述したように操作部の機能割り当て処理が完了した後（Ｓ７０２）、システム制御部６０１は撮影待機状態となって、シャッターボタン５０２が押下されるのを待ち（Ｓ７０３）、シャッターボタン５０２が押下された場合はＳ７０４に進む。
【００７８】
Ｓ７０４及びＳ７０５では、システム制御部６０１は画像ファイルを２つ生成し、表示部５１０に表示されている第１及び第２の撮像部で撮影された各画像をそれぞれのファイルに記録する処理を開始する。
【００７９】
Ｓ７０６では、システム制御部６０１は、Ｓ７０５で記録を開始した後、Ｓ７０２で割り当てられた操作部（例えば、十字ボタン５０５の左右のいずれか）が押下されたか判定し、押下を検出した場合はＳ７０７に進み、押下が検出されない場合はＳ７１１に進む。
【００８０】
Ｓ７０７では、システム制御部６０１は、押下された操作部（例えば、十字ボタン５０５の左右のいずれか）に対応する画像の記録を停止し、ここで例えば、十字ボタン５０５の左右のいずれかを押し続けることで、記録を一時停止することが可能である。
【００８１】
次に、システム制御部６０１は、操作部（例えば、十字ボタン５０５の左右のいずれか）の押下が終了したことを検出すると（Ｓ７０８）、Ｓ７０９に進み、画像の記録を再開する。
【００８２】
一方、システム制御部６０１は、Ｓ７０８にて操作部（例えば、十字ボタン５０５の左右のいずれか）の押下が終了したことを検出しないままシャッターボタン５０２が押下されたことを検出すると（Ｓ７１０）、Ｓ７１２に進む。
【００８３】
Ｓ７１２〜Ｓ７１４では、システム制御部６０１は、２つの画像の記録を停止し、それぞれの画像ファイルをクローズし（Ｓ７１２）、記録を終了し（Ｓ７１３）、ユーザ操作により動作終了が選択されると（Ｓ７１４）、本処理を終了する。また、Ｓ７１４でユーザが動作終了を選択しない場合は、Ｓ７０３に戻り、撮影待機状態に戻る。
【００８４】
なお、システム制御部６０１は、Ｓ７０６にて操作部（例えば、十字ボタン５０５の左右のいずれか）の押下が検出されないままシャッターボタン５０２が押下されたことを検出すると（Ｓ７１１）、Ｓ７１２以降の処理を実行する。
【００８５】
上述したように、ユーザは２つのスルー画像を記録中に操作部（例えば、十字ボタン５０５の左右のいずれか）を押し続けることで記録を一時的に停止することができる。
【００８６】
上述したように、ユーザは、図１１（ａ）、（ｂ）のように表示部５１０を見て２つの撮像部により撮像されたスルー画像を確認し、画像を記録中にユーザが特定の機能を割り当てたボタンを押し続けることで記録を一時的に停止することができる。この場合の画像信号や動画信号のフレームと画像ファイルの関係は図４と同様である。
【００８７】
また、画像の記録中に、操作部（例えば、十字ボタン５０５の左右の両方）が同時に押下された場合は、例えば十字ボタン５０５の左を優先するなど、予め決められた優先順序に基づいて、どちらかを優先して操作を受け付け、それに対応する画像の記録停止を行っても良い。また、どちらの操作も受け付けず、記録停止を行わないように構成しても良い。さらに、例えば十字ボタン５０５の左が押下され、図１０の画像１００１の記録が停止されている間に、十字ボタン５０５の右が押下された場合は、（１）十字ボタン５０５の右の押下は受け付けず、画像１００１の記録停止を継続する、（２）画像１００１の記録停止を解除して、画像１００１、１００２の記録を再開する、（３）画像１００１の記録停止を解除して、新たに画像１００２の記録を開始する、という動作を行っても良い。
【００８８】
また、図７では、特定の機能が割り当てられた操作部の押下で記録停止の指示を行っているが、タッチパネル６０８で記録停止の指示を行っても良い。すなわち、図１０の画像１００１〜１００４のそれぞれの表示領域へのタッチダウンをタッチ検出部６１０が検出し、システム制御部６０１がタッチ検出された画像の記録停止、記録再開を制御しても良い。この場合、図７のＳ７０６にてタッチダウン検出を行い、Ｓ７０７にてタッチダウンされた領域に表示されている画像の記録停止を行えば良い。またＳ７０８にてタッチアップ検出を行い、Ｓ７０９にてタッチアップされた領域に表示されている映像の録画再開を行うことで実現可能である。
【００８９】
また、図１０（ａ）の画像１００１、１００２のように複数の表示領域がタッチされた場合や、ユーザが画面上のいかなる箇所にタッチした場合でも、撮影者を撮像する第２の撮像部の画像信号の記録停止を行うように制御しても良い。撮影者にとっての主被写体は、第１の撮像部５２０により撮像される被写体であるため、第２の撮像部５３０により撮像される画像は、被写体に注目するあまり画角に収まらなかったり、被写体が順光時に撮影者側は逆光であったり、必要ない場合もあからである。また、撮影者が、自分の表情の記録はできるだけ限定したいと希望うることも想定される。このようにすれば、撮影者は表示部５１０を見ていなくても、表示部５１０の位置を容易に把握できるはずであるので、表示部５１０の任意の地点をタッチするだけで、撮影者を撮像した画像信号の記録停止を行えるようになる。
【００９０】
なお、上述した実施形態では、本発明の取得手段として、テレビ放送等を受信するチューナや画像（静止画や動画）を撮像する撮像部を例示したが、映像や画像を取得できるものであれば、どのような機能、構成であっても本発明を適用できる。例えば、他の機器が保有する映像や画像を有線／無線で受信する通信部でも良いし、他の記録媒体に格納された映像や画像を取得するためのインターフェース部であっても良い。
【００９１】
また、上述した実施形態では、本発明の表示手段として液晶パネルを例示したが、有機ＥＬディスプレイ等の他のデバイスであっても本発明を適用できる。
【００９２】
また、上述した実施形態では、記録手段としてメモリまたは記録媒体を例示したが、例えば、有線／無線等の通信部により他の機器の記録媒体に転送し記録する構成であっても良い。
【００９３】
また、上述した実施形態では、第１の操作手段及び第２の操作手段として押しボタン式の操作部材やタッチパネルからなる操作ボタンを例示したが、これに限られず、ユーザが操作可能な手段であれば、どのようなものでも構わない。
【００９４】
なお、システム制御部の制御は１つのハードウェアが行ってもよいし、複数のハードウェアが処理を分担することで、装置全体の制御を行ってもよい。
【００９５】
［その他の実施形態］本発明は、以下の処理を実行することによっても実現される。即ち本実施形態の機能を実現するソフトウェア（プログラム）を、ネットワーク又は各種記憶媒体を介してシステムあるいは装置に供給し、そのシステムあるいは装置のコンピュータ（またはＣＰＵやＭＰＵなど）がプログラムを読み出して実行する処理である。
【図１】
2015070551.tif 000003
【図２】
2015070551.tif 000004
【図３】
2015070551.tif 000005
【図４】
2015070551.tif 000006
【図５】
2015070551.tif 000007
【図６】
2015070551.tif 000008
【図７】
2015070551.tif 000009
【図８】
2015070551.tif 000010
【図９】
2015070551.tif 000011
【図１０】
2015070551.tif 000012
【図１１】
2015070551.tif 000013